【手続補正書】
【提出日】平成16年6月16日(2004.6.16)
【手続補正１】
【補正対象書類名】明細書
【補正対象項目名】特許請求の範囲
【補正方法】変更
【補正の内容】
【特許請求の範囲】
【請求項１】  埋め込み後に眼の収差を低減することができる眼内レンズを設計するための方法であって、
（ｉ）少なくとも１つの角膜表面を数学的モデルとして特徴付けるステップと、
（ｉｉ）結果として生じる前記角膜表面の収差を、前記数学的なモデルを使用することにより計算するステップと、
（ｉｉｉ）眼内レンズの光学倍率を選択するステップと、
（ｉｖ）眼内レンズをモデル化して、前記レンズおよび角膜モデルから成る光学系からの波面の収差を低減するステップとを備えている、方法。
【請求項２】  結果として生じる前記角膜表面の収差を、前記角膜を通過した波面において決定するステップを備えている、請求項１に記載の方法。
【請求項３】  前記角膜表面は、回転のコノイドの形で特徴付けられる、請求項１に記載の方法。
【請求項４】  前記角膜表面は、多項式の形で特徴付けられる、請求項１に記載の方法。
【請求項５】  前記角膜表面は、多項式の一次結合の形で特徴付けられる、請求項４に記載の方法。
【請求項６】  前記光学系は、光学的な修正を行なう眼鏡や眼修正レンズ等の補助手段を更に備えている、請求項１に記載の方法。
【請求項７】  角膜屈折力および眼の軸方向長さの評価が、レンズの光学倍率の選択を表わす、請求項１に記載の方法。
【請求項８】  前記角膜モデルとモデル化された眼内レンズとを備える光学系は、少なくとも１つの前記多項式によって表わされる収差から実質的に低減された波面を与える、請求項４に記載の方法。
【請求項９】  眼内レンズのモデル化は、レンズの前側の半径および表面、レンズの後側の半径および表面、レンズの厚さ、レンズの屈折率の選択を含んでいる、請求項１に記載の方法。
【請求項１０】  モデルレンズが所定の中心半径、レンズ厚、屈折率を有している状態で、前側表面の非球面要素が選択される、請求項９に記載の方法。
【請求項１１】  解剖学的な測定によって個人の前側の角膜表面を特徴付けて、角膜の収差を多項式の結合として表わすことを含んでいる、請求項１に記載の方法。
【請求項１２】  解剖学的な測定によって個人の前側および後側の角膜表面を特徴付けて、全ての角膜収差を多項式の結合として表わすことを含んでいる、請求項１１に記載の方法。
【請求項１３】  選択された母集団の角膜表面を特徴付けて、前記母集団の平均角膜収差を多項式の結合として表わすことを含んでいる、請求項１に記載の方法。
【請求項１４】  （ｖ）前記モデル化された眼内レンズおよび角膜を備える光学系から生じる収差を計算するステップと、
（ｖｉ）モデル化された眼内レンズが十分に収差を低減したか否かを判断するとともに、選択的に、十分な低減が得られるまで眼内レンズを再モデル化するステップとを更に備えている、請求項１に記載の方法。
【請求項１５】  前記収差は、多項式の一次結合として表わされる、請求項１４に記載の方法。
【請求項１６】  再モデル化は、前側の表面および曲率、後側の半径および表面、レンズ厚、レンズの屈折率のうちの１つ又は複数を修正することを含む、請求項１５に記載の方法。
【請求項１７】  前記多項式がザイデル多項式またはゼルニケ多項式である、請求項４または５に記載の方法。
【請求項１８】  （ｉ）ゼルニケ多項式の一次結合として角膜収差を表わすステップと、
（ｉｉ）角膜の波面のセルニケ係数を決定するステップと、
（ｉｉｉ）前記モデルレンズと角膜とを備える光学系が十分に低いゼルニケ係数を有する波面を与えるように、眼内レンズをモデル化するステップとを備えている、請求項１７に記載の方法。
【請求項１９】  （ｉｖ）モデル化された眼内レンズおよび角膜を備える光学系から生じる波面のゼルニケ係数を計算するステップと、
（ｖ）前記眼内レンズが十分にゼルニケ係数を低減したか否かを判断するとともに、選択的に、前記係数の十分な低減が得られるまで前記レンズを再モデル化するステップとを更に備えている、請求項１８に記載の方法。
【請求項２０】  球面収差を参照して、ゼルニケ係数を十分に低減する、請求項１９に記載の方法。
【請求項２１】  ４次より上の収差を参照して、ゼルニケ係数を十分に低減する、請求項１９に記載の方法。
【請求項２２】  角膜および前記モデル化された眼内レンズを備える光学系からの波面の１１番目のゼルニケ係数を十分に低減して、球面収差が十分に無くされた眼を得る、請求項２０に記載の方法。
【請求項２３】  再モデル化は、前側の半径および表面、後側の半径および表面、レンズ厚、レンズの屈折率のうちの１つ又は複数を修正することを含む、請求項１９に記載の方法。
【請求項２４】  収差が十分に低減されるまで、レンズの前側表面を修正する、請求項２３に記載の方法。
【請求項２５】  系を通過した波面において、眼内レンズの前記モデルおよび角膜を備える光学系がザイデル多項式またはゼルニケ多項式で表わされる球面収差項および円筒収差項を低減するように、レンズをモデル化する、請求項１７に記載の方法。
【請求項２６】  より高い収差項を低減する、請求項２５に記載の方法。
【請求項２７】  （ｉ）選択された母集団の角膜表面を特徴付けて、各角膜を多項式の一次結合として表わし、
（ｉｉ）個々の角膜間で多項式の係数を比較し、
（ｉｉｉ）個々の角膜から１つの公称係数値を選択し、
（ｉｖ）前記レンズおよび個々の角膜を備える光学系から生じる波面が前記公称係数値を十分に低減するように、レンズをモデル化する、
、請求項８に記載の方法。
【請求項２８】  前記多項式の係数は、球面収差を表わすゼルニケ収差項を示している、請求項２７に記載の方法。
【請求項２９】  前記公称係数値は、選択された母集団の中で最も低い、請求項２７に記載の方法。
【請求項３０】  埋め込み後に眼の収差を低減することができる眼内レンズを選択するための方法であって、
（ｉ）少なくとも１つの角膜表面を数学的モデルとして特徴付けるステップと、
（ｉｉ）結果として生じる前記角膜表面の収差を、前記数学的なモデルを使用することにより計算するステップと、
（ｉｉｉ）光学倍率が同じであるが収差が異なる複数のレンズから、適切な光学倍率を有する眼内レンズを選択するステップと、
（ｉｖ）前記選択されたレンズおよび角膜モデルから成る光学系が収差を十分に低減するか否かを判断するステップと、
を備えている方法。
【請求項３１】  結果として生じる前記角膜表面の収差を、前記角膜を通過した波面において決定する、請求項３０に記載の方法。
【請求項３２】  （ｖ）前記選択されたレンズおよび角膜モデルから成る光学系からの波面の収差を計算するステップと、
（ｖｉ）前記光学系からの波面の収差を前記選択された眼内レンズが十分に低減したか否かを判断するとともに、収差を十分に低減することができるレンズを見出すまで、同じ光学倍率を有する少なくとも１つの新たなレンズを選択することにより、ステップ（ｉｉｉ）およびステップ（ｉｖ）を選択的に繰り返すステップとを更に備えている、請求項３０に記載の方法。
【請求項３３】  前記角膜表面は、回転のコノイドの形で特徴付けられる、請求項３０に記載の方法。
【請求項３４】  前記角膜表面は、多項式の形で特徴付けられる、請求項３０に記載の方法。
【請求項３５】  前記角膜表面は、多項式の一次結合の形で特徴付けられる、請求項３４に記載の方法。
【請求項３６】  前記光学系は、眼鏡や眼修正レンズ等の、光学的な修正を行なう補助手段を更に備えている、請求項３０または３２に記載の方法。
【請求項３７】  角膜屈折力および眼の軸方向長さの評価は、レンズの光学倍率の選択を表わす、請求項３０に記載の方法。
【請求項３８】  前記角膜モデルと選択された眼内レンズとを備える光学系は、少なくとも１つの前記多項式によって表わされる収差から実質的に低減された波面を与える、請求項３４または３５に記載の方法。
【請求項３９】  解剖学的な測定によって個人の前側の角膜表面を特徴付けて、角膜の収差を多項式の結合として表わすことを含んでいる、請求項３０に記載の方法。
【請求項４０】  解剖学的な測定によって個人の前側および後側の角膜表面を特徴付けて、全ての角膜収差を多項式の結合として表わすことを含んでいる、請求項３９に記載の方法。
【請求項４１】  選択された母集団の角膜表面を特徴付けて、前記母集団の平均角膜収差を多項式の結合として表わすことを含んでいる、請求項３０に記載の方法。
【請求項４２】  前記多項式がザイデル多項式またはゼルニケ多項式である、請求項３８に記載の方法。
【請求項４３】  （ｉ）ゼルニケ多項式の一次結合として角膜収差を表わすステップと、
（ｉｉ）角膜のゼルニケ係数を決定するステップと、
（ｉｉｉ）前記レンズと角膜とを備える光学系が十分に低いゼルニケ係数を有する波面を与えるように、眼内レンズを選択するステップと、
を備えている、請求項４２に記載の方法。
【請求項４４】  （ｉｖ）モデル化された眼内レンズおよび角膜を備える光学系から生じる波面のゼルニケ係数を計算するステップと、
（ｖ）前記眼内レンズが十分にゼルニケ係数を低減したか否かを判断するとともに、選択的に、前記係数の十分な低減が得られるまで新たなレンズを選択するステップとを更に備えている、請求項４３に記載の方法。
【請求項４５】  ゼルニケ多項式を４次まで決定する、請求項４３または４４に記載の方法。
【請求項４６】  球面収差を参照して、ゼルニケ係数を十分に低減する、請求項４５に記載の方法。
【請求項４７】  ４次より上のゼルニケ係数を十分に低減する、請求項４６に記載の方法。
【請求項４８】  モデル角膜および前記選択された眼内レンズを備える光学系からの波面の１１番目のゼルニケ係数を十分に低減して、球面収差が十分に無くされた眼を得る、請求項４６に記載の方法。
【請求項４９】  系を通過した波面において、前記眼内レンズおよび角膜を備える光学系がザイデル多項式またはゼルニケ多項式で表わされる球面収差項を低減するように、眼内レンズを選択する、請求項３９に記載の方法。
【請求項５０】  より高い収差項が低減される、請求項３９に記載の方法。
【請求項５１】  適した倍率範囲を有するレンズと、各倍率範囲内に異なる収差を有する複数のレンズとを備える一式から眼内レンズを選択することによって特徴付けられる、請求項３０に記載の方法。
【請求項５２】  前記収差が球面収差である、請求項５１に記載の方法。
【請求項５３】  各倍率範囲内の前記レンズは、様々な非球面要素を有する表面を備えている、請求項５１に記載の方法。
【請求項５４】  前記表面が前側の表面である、請求項５３に記載の方法。
【請求項５５】  眼に埋め込むのに適した眼レンズを設計する方法であって、
代表的な患者集団を選択するステップと、
患者集団内の各被検者に関する角膜の解剖学的なデータを収集するステップと、
前記データを、所定の開口サイズにおける各被検者の角膜表面形状を示す項に移すステップと、
少なくとも１つの平均角膜表面形状項を取得するように、前記患者集団の少なくとも１つの角膜表面形状項の平均値を計算し、および／または、それぞれが角膜表面形状項を介した変換によって得られる、少なくとも１つの対応する角膜波面収差項の平均値を計算するステップと、
前記少なくとも１つの平均角膜表面形状項または前記少なくとも１つの平均角膜波面収差項から、角膜およびレンズを備える光学系の前記少なくとも１つの平均波面収差項を減少させることができる眼レンズを設計するステップと、
を備えていることを特徴とする方法。
【請求項５６】  計算された少なくとも１つの平均角膜表面形状項または少なくとも１つの平均角膜波面収差項から、患者集団における平均角膜モデルを設計するステップと、
モデル平均角膜およびレンズを通じて移動する波面のこれらの特定の収差項を測定するとともに、測定された波面において前記少なくとも１つの収差項が十分に減少されていない場合にレンズを再設計することにより、設計された眼レンズが少なくとも１つの平均収差項を正確に補償していることをチェックするステップとを更に備えていることを特徴とする、請求項５５に記載の方法。
【請求項５７】  所定の半径における平均角膜表面形状項または平均角膜波面収差項から、設計されるレンズにおける表面の記述的な定数を計算することを特徴とする、請求項５５または５６に記載の方法。
【請求項５８】  特定の年齢範囲の人を選択することによって患者集団を構成することを特徴とする、請求項５５から５７のいずれか一項に記載の方法。
【請求項５９】  白内障の手術を受ける人を選択することによって患者集団を構成することを特徴とする、請求項５５から５８のいずれか一項に記載の方法。
【請求項６０】  角膜手術を受けた患者用のレンズを特に設計し、したがって、角膜手術を受けた人を選択することによって患者集団を構成することを特徴とする、請求項５５から５９のいずれか一項に記載の方法。
【請求項６１】  特定の眼疾患を有する人を選択することによって患者集団を構成することを特徴とする、請求項５５から６０のいずれか一項に記載の方法。
【請求項６２】  眼の特定の視覚欠陥を有する人を選択することによって患者集団を構成することを特徴とする、請求項５５から６１のいずれか一項に記載の方法。
【請求項６３】  １人の特定の患者の角膜の少なくとも１つの波面収差を測定するステップと、
この患者に対応する選択された集団がこの特定の患者の代表であるか否か、また、これが、これらの平均値から設計されたレンズを埋め込む場合であるか否か、また、これが、他の集団からの平均値から設計されたレンズを埋め込む、または、この患者のために個人的なレンズを設計する場合であるか否かを判断するステップとを更に備えることを特徴とする、請求項５５から６２のいずれか一項に記載の方法。
【請求項６４】  入ってくる非球状波面の少なくとも１つの収差項を減少する少なくとも１つの非球状面を有するレンズを提供することを特徴とする、請求項５５から６３のいずれか一項に記載の方法。
【請求項６５】  前記収差項がプラスの球面収差項である、請求項６４に記載の方法。
【請求項６６】  入ってくる非球状波面の収差を示すゼルニケ多項式の少なくとも１つの項を減少する少なくとも１つの非球状面を有するレンズを提供することを特徴とする、請求項５５から６５のいずれか一項に記載の方法。
【請求項６７】  入ってくる非球状波面の球面収差を示す１１番目の正規化されたゼルニケ項を減少する少なくとも１つの非球状面を有するレンズを提供することを特徴とする、請求項６６に記載の方法。
【請求項６８】  以下の式を有する平均角膜表面からの波面の球面収差を低減するようにレンズを設計し、
【数１】
2003534565.tif 000001
ここで、円錐定数ｃｃは−１から０の範囲の値を有し、Ｒは中心レンズ半径であり、ａｄおよびａｅは非球面定数であることを特徴とする、請求項５５から６７のいずれか一項に記載の方法。
【請求項６９】  円錐定数（ｃｃ）は、４ｍｍの開口サイズ（瞳孔の直径）における約−０．０５から、７ｍｍの開口サイズにおける約−０．１８までの範囲である、請求項６８に記載の方法。
【請求項７０】  ０よりも小さい円錐定数（ｃｃ）を有する修正されたコノイドによって表わされる表面を有するレンズを提供することを特徴とする、請求項６８に記載の方法。
【請求項７１】  患者のために、レンズの半径を決定する適切な屈折力をレンズに与えることを特徴とする、請求項５５から７０のいずれか一項に記載の方法。
【請求項７２】  ＯＳＬＯ形式で表わされる多項式を使用して、波面収差の球面収差を示すゼルニケ多項式係数を有する角膜の球面収差を、３ｍｍの開口半径における０．０００１５６ｍｍから０．００１９４８ｍｍの範囲の値と釣り合わせるようにレンズを設計することを特徴とする、請求項５５から７１のいずれか一項に記載の方法。
【請求項７３】  ＯＳＬＯ形式で表わされる多項式を使用して、波面収差の球面収差を示すゼルニケ多項式係数を有する角膜の球面収差を、２ｍｍの開口半径における０．００００３６ｍｍから０．０００４４８ｍｍの範囲の値と釣り合わせるようにレンズを設計することを特徴とする、請求項５５から７１のいずれか一項に記載の方法。
【請求項７４】  ＯＳＬＯ形式で表わされる多項式を使用して、波面収差の球面収差を示すゼルニケ多項式係数を有する角膜の球面収差を、２．５ｍｍの開口半径における０．０００１０３９ｍｍから０．０００９３５９ｍｍの範囲の値と釣り合わせるようにレンズを設計することを特徴とする、請求項５５から７１のいずれか一項に記載の方法。
【請求項７５】  ＯＳＬＯ形式で表わされる多項式を使用して、波面収差の球面収差を示すゼルニケ多項式係数を有する角膜の球面収差を、３．５ｍｍの開口半径における０．０００１９４ｍｍから０．００３６５ｍｍの範囲の値と釣り合わせるようにレンズを設計することを特徴とする、請求項５５から７１のいずれか一項に記載の方法。
【請求項７６】  、請求項１から７５のいずれか一項にしたがって得られた眼レンズであって、眼の角膜を通過した波面を、中心が眼の網膜内にある実質的に球状の波面にすることができる眼レンズ。
【請求項７７】  適切な母集団から設計された角膜モデルの収差を補償して、前記モデル角膜および前記レンズを備えた光学系からの波面の収差が実質的に低減されるようにすることができる眼レンズ。
【請求項７８】  前記角膜モデルは、個々の角膜を特徴付け且つこれらを数学的な項で表わして個々の収差項を得ることによって計算される平均収差項を含んでいる、請求項７７に記載の眼レンズ。
【請求項７９】  前記収差項は、ゼルニケ多項式の一次結合である、請求項７７に記載の眼レンズ。
【請求項８０】  前記モデル角膜および前記レンズを備えた光学系からの波面の球面収差が実質的に低減するように、前記角膜モデルのゼルニケ多項式で表わされた収差項を減少することができる、請求項７９に記載の眼レンズ。
【請求項８１】  ４次の１１番目のゼルニケ項を減少することができる、請求項８０に記載の眼レンズ。
【請求項８２】  眼内レンズである、請求項７７に記載の眼レンズ。
【請求項８３】  患者の眼の天然のレンズと交換できるようになっている、請求項７７に記載の眼レンズであって、前記眼レンズは、少なくとも１つの非球面を有し、この少なくとも１つの非球面は、眼との関連で、前記患者が分類される選択された人の集団の角膜測定から得られた同じ収差項の平均値と実質的に同じ値を有するが符号が異なる少なくとも１つの波面収差項を、レンズが通過する波面に与えるように設計され、これによって、患者の眼の角膜からの波面は、前記レンズの通過後に、角膜によって与えられる前記少なくとも１つの収差項が減少する、眼レンズ。
【請求項８４】  レンズの表面は、通過する波面の少なくとも１つのプラスの収差項を減少するように設計されることを特徴とする、請求項８３に記載の眼レンズ。
【請求項８５】  通過する波面に対してレンズにより与えられる少なくとも１つの波面収差項が球面収差項であり、これにより、患者の眼の角膜からの波面は、前記レンズの通過後に、角膜によって与えられる前記球面収差項が減少することを特徴とする、請求項８３または８４に記載の眼レンズ。
【請求項８６】  通過する波面に対しレンズにより与えられる少なくとも１つの波面収差項は、角膜の波面収差を示すゼルニケ多項式の少なくとも１つの項であることを特徴とする、請求項８３から８５のいずれか一項に記載の眼レンズ。
【請求項８７】  通過する波面に対しレンズにより与えられる少なくとも１つの波面収差項は、角膜の波面収差の１１番目の正規化されたゼルニケ項であることを特徴とする、請求項８６に記載の眼レンズ。
【請求項８８】  前記選択された人の集団は、特定の年齢範囲に属する人の集団であることを特徴とする、請求項８３から８７のいずれか一項に記載の眼レンズ。
【請求項８９】  レンズは、角膜手術を受けた患者によって使用されるようになっており、前記選択された人の集団は、角膜手術を受けた人の集団であることを特徴とする、請求項８３から８８のいずれか一項に記載の眼レンズ。
【請求項９０】  前記選択された人の集団は、白内障手術を受ける人の集団であることを特徴とする、請求項８３から８８のいずれか一項に記載の眼レンズ。
【請求項９１】  非球面は、０よりも小さい円錐定数（ｃｃ）を有する修正されたコノイド面であることを特徴とする、請求項９０に記載の眼レンズ。
【請求項９２】  以下の式を有する長球の表面からの眼の、もしくは眼モデルの波面の球面収差を除去しあるいは実質的に低減することができ、
【数２】
2003534565.tif 000002
ここで、円錐定数ｃｃは−１から０の範囲の値を有し、Ｒは中心レンズ半径であり、ａｄおよびａｅは非球面定数であることを特徴とする、請求項９１に記載の眼レンズ。
【請求項９３】  患者のため、レンズには、３０ジオプトリー以下の適切な屈折力が与えられることを特徴とする、請求項８３から９２のいずれか一項に記載の眼レンズ。
【請求項９４】  レンズの少なくとも１つの非球面のうちの１つは、前側の表面であることを特徴とする、請求項８３から９３のいずれか一項に記載の眼レンズ。
【請求項９５】  レンズの少なくとも１つの非球面のうちの１つは、後側の表面であることを特徴とする、請求項８３から９４のいずれか一項に記載の眼レンズ。
【請求項９６】  レンズは、柔軟な生体適合性の材料によって形成されていることを特徴とする、請求項８３から９５のいずれか一項に記載の眼レンズ。
【請求項９７】  レンズがシリコーン材料によって形成されていることを特徴とする、請求項８３から９６のいずれか一項に記載の眼レンズ。
【請求項９８】  シリコーン材料は、５４６ｎｍの波長で屈折率が１．４３以上であり、伸びが少なくとも３５０％であり、引張強さが少なくとも３００ｐｓｉであり、ショアタイプＡのデュロメーターによって測定されたショア硬さが約３０であることを特徴とする、請求項９７に記載の眼レンズ。
【請求項９９】  レンズがヒドロゲルによって形成されていることを特徴とする、請求項８３から９８のいずれか一項に記載の眼レンズ。
【請求項１００】  レンズが硬い生体適合性材料によって形成されていることを特徴とする、請求項８３から９５のいずれか一項に記載の眼レンズ。
【請求項１０１】  ＯＳＬＯ形式で表わされる多項式を使用して、波面収差の球面収差を示すゼルニケ多項式係数を有する角膜の球面収差を、３ｍｍの開口半径における０．０００１５６ｍｍから０．００１９４８ｍｍの範囲の値と釣り合わせるように設計されることを特徴とする、請求項８３から１００のいずれか一項に記載の眼レンズ。
【請求項１０２】  ＯＳＬＯ形式で表わされる多項式を使用して、波面収差の球面収差を示すゼルニケ多項式係数を有する角膜の球面収差を、２ｍｍの開口半径における０．００００３６ｍｍから０．０００４４８ｍｍの範囲の値と釣り合わせるように設計されることを特徴とする、請求項８３から１００のいずれか一項に記載の眼レンズ。
【請求項１０３】  ＯＳＬＯ形式で表わされる多項式を使用して、波面収差の球面収差を示すゼルニケ多項式係数を有する角膜の球面収差を２．５ｍｍの開口半径における０．０００１０３９ｍｍから０．０００９３５９ｍｍの範囲の値と釣り合わせるように設計されることを特徴とする、請求項８３から１００のいずれか一項に記載の眼レンズ。
【請求項１０４】  ＯＳＬＯ形式で表わされる多項式を使用して、波面収差の球面収差を示すゼルニケ多項式係数を有する角膜の球面収差を３．５ｍｍの開口半径における０．０００１９４ｍｍから０．００３６５ｍｍの範囲の値と釣り合わせるように設計されることを特徴とする、請求項８３から１００のいずれか一項に記載の眼レンズ。
【請求項１０５】  その収差を示す多項式の項の１次結合として表わされる時に、角膜を通過した波面で得られると同様の収差項を減少することができ、これによって、十分に収差の無くされた眼を得ることができる少なくとも１つの非球面を有する眼レンズ。
【請求項１０６】  前記非球面がレンズの前側の表面である、請求項１０５に記載のレンズ。
【請求項１０７】  前記非球面がレンズの後側の表面である、請求項１０６に記載のレンズ。
【請求項１０８】  眼内レンズである、請求項１０５に記載のレンズ。
【請求項１０９】  前記多項式の項がゼルニケ多項式である、請求項１０５に記載のレンズ。
【請求項１１０】  球面収差および非点収差を示す多項式の項を減らすことができる、請求項１０９に記載のレンズ。
【請求項１１１】  ４次の１１番目のゼルニケ多項式の項を減らすことができる、請求項１１０に記載のレンズ。
【請求項１１２】  柔軟な生体適合性材料によって形成されている、請求項１０５に記載のレンズ。
【請求項１１３】  シリコーンによって形成されている、請求項１０５に記載のレンズ。
【請求項１１４】  ヒドロゲルによって形成されている、請求項１０５に記載のレンズ。
【請求項１１５】  硬質の生体適合性材料によって形成されている、請求項１０５に記載のレンズ。
【請求項１１６】  眼の収差を少なくとも部分的に補償する眼内レンズを埋め込むことによって患者の視力を修正する方法であって、
眼から天然のレンズを除去するステップと、
波面センサを使用することにより、レンズを備えていない眼の収差を測定するステップと、
波面の検出によって見出される少なくとも１つの収差項を減少することができるレンズを用意するステップと、
患者の眼内に前記レンズを埋め込むステップとを備えている方法。
【請求項１１７】  前記レンズは、各ジオプトリー内で前記少なくとも１つの収差項を修正する能力が異なる複数のレンズを含む一式のレンズから選択することによって用意される、請求項１１６に記載の方法。
【請求項１１８】  前記レンズは、無水晶体眼の波面検出から生じる少なくとも１つの収差項を減少することができるレンズを設計することによって用意される、請求項１１６に記載の方法。